(57)【要約】【課題】撮影時の光源の反射による写り込みを低減する。【解決手段】ステージ４１１の上面には、開口部４１２から本Ｂの頁Ｐを撮影できるように、タブレット端末６０がカメラ部を下側にして載置される。第１部材４１のステージ４１１の下面には、照明装置４５が設けられている。該照明装置４５は、ステージ４１１に設けられた開口部４１２を取り囲むように配置され、楕円形状の中心側に開口部４５１を有する形状のランプシェード４５２を備えている。照明装置４５は、ステージ４１１に固定されておらず、回転軸ＲＢを中心として回転可能となっている。頁Ｐが光沢紙等の場合には、画質低下を防ぐために、タブレット端末６０は、本Ｂ（頁Ｐ）とほぼ真正面となる位置で固定したまま、照明装置４５を左右どちらかに回転させて反射光がカメラ部に写り込まない位置に調整する。【選択図】図６
2018056654.tif 000002
【特許請求の範囲】
【請求項１】
撮像方向が見開かれた本を向くように撮像装置を載置するためのステージと、
前記ステージの下面に設置され、前記見開かれた本を照明する照明装置と、
を備え、
前記照明装置は、一端を回転中心にして回動する構造を有する、
ことを特徴とする撮像装置スタンド。
【請求項２】
前記ステージは、長手方向に沿って形成された開口部を有し、
前記照明装置は、前記開口部を取り囲むように、前記ステージの下面に発光素子を有する、
ことを特徴とする請求項１に記載の撮像装置スタンド。
【請求項３】
前記照明装置は、前記発光素子からの光を拡散させるランプシェードを備える、
ことを特徴とする請求項２に記載の撮像装置スタンド。
【請求項４】
前記撮像装置は、前記撮像装置の撮像方向が前記ステージに形成されている前記開口部から前記見開かれた本を向くように前記ステージの上面に載置される、
ことを特徴とする請求項２又は３に記載の撮像装置スタンド。
【請求項５】
撮像方向が見開かれた本を向くように撮像装置が載置されるステージの下面に設けられ、一端を回転中心にして回動する構造を有し、前記見開かれた本の頁を照明する、
ことを特徴とする照明装置。
【請求項６】
前記ステージの長手方向に沿って形成された開口部を取り囲むように、前記ステージの下面に配設された発光素子を有する、
ことを特徴とする請求項５に記載の照明装置。
【請求項７】
前記発光素子からの光を拡散させるランプシェードを備える、
ことを特徴とする請求項６に記載の照明装置。
【請求項８】
開口部が設けられているとともに、前記開口部を介して撮像対象物の上方から前記撮像対象物を撮像可能なように撮像装置が載置されるステージと、
前記ステージにおける前記撮像装置が載置される面とは反対側の面に前記開口部を囲むように設けられ、前記撮像対象物の上方から前記撮像対象物に光を照射するための光照射部と、を備え、
前記光照射部は、一端を回転中心にして回動する構造を有する、
ことを特徴とする撮像装置スタンド。
【発明の詳細な説明】
【技術分野】
【０００１】
本発明は、撮像装置スタンド、及び照明装置に関する。
【背景技術】
【０００２】
従来、スマートフォンやタブレット端末などの情報端末に内蔵されている撮像機能や、デジタルカメラを用いて被写体を撮像する場合に、長時間撮影や手振れ防止などのため、情報端末を何らかの手段で固定していた。なお、以下では、スマートフォンやタブレット端末などの情報端末に内蔵されている撮像機能や、デジタルカメラなど、撮像機能を備える電子装置を撮像装置という。
【０００３】
例えば、特許文献１には、複数の関節を有するアームの一端に撮像装置を三軸方向に回転可能に固定し、他端を設置面に固定でき、アームの一部に複数の電子機器が取り付けられるスタンドを用いることが開示されている。
【０００４】
また、特許文献２には、三脚スタンドの先端に垂直方向に移動可能な支柱と、該支柱に対して水平方向に移動可能な支えバーとを設け、該支えバーの先端に２軸方向に回転可能に撮像装置を固定する三脚スタンドを用いることが開示されている。
【先行技術文献】
【特許文献】
【０００５】
【特許文献１】特開２０１１−１０７６１１号公報
【特許文献２】特開２００７−２１９１９７号公報
【発明の概要】
【発明が解決しようとする課題】
【０００６】
ところで、従来、本等の頁を自動でめくる装置としては、重なっている頁を一枚ずつ吸着して頁をめくる頁めくり装置が知られている。頁めくり装置では、めくられる直前の頁を、撮像装置で一頁ずつ頁をめくる動作に同期させて連続撮影する技術が知られている。このような頁めくり装置においても、上述した特許文献１、２に開示されているようなスタンドを用いて撮像装置を固定していた。
【０００７】
しかしながら、上述した特許文献１、２では、撮影時にＬＥＤライトの光源からの光が紙に反射して画像に写り込むという問題があった。
【０００８】
そこで本発明は、撮影時の光源の反射による写り込みを低減することを目的とする。
【課題を解決するための手段】
【０００９】
この発明に係る撮像装置スタンドは、撮像方向が見開かれた本を向くように撮像装置を載置するためのステージと、前記ステージの下面に設置され、前記見開かれた本を照明する照明装置と、を備え、前記照明装置は、一端を回転中心にして回動する構造を有する、ことを特徴とする。
【００１０】
この発明に係る照明装置は、撮像方向が見開かれた本を向くように撮像装置が載置されるステージの下面に設けられ、一端を回転中心にして回動する構造を有し、前記見開かれた本の頁を照明する、ことを特徴とする。
【００１１】
この発明に係る撮像装置スタンドは、開口部が設けられているとともに、前記開口部を介して撮像対象物の上方から前記撮像対象物を撮像可能なように撮像装置が載置されるステージと、前記ステージにおける前記撮像装置が載置される面とは反対側の面に前記開口部を囲むように設けられ、前記撮像対象物の上方から前記撮像対象物に光を照射するための光照射部と、を備え、前記光照射部は、一端を回転中心にして回動する構造を有する、ことを特徴とする。
【発明の効果】
【００１２】
この発明によれば、撮影時の光源の反射による写り込みを低減することができる。
【図面の簡単な説明】
【００１３】
【図１】本発明の実施形態による撮像装置スタンドを用いた頁めくり装置１の外観構成を示す斜視図である。
【図２】本実施形態による撮像装置スタンドの外観構成（正面）を示す斜視図である。
【図３】本実施形態による撮像装置スタンドの外観構成（背面）を示す斜視図である。
【図４】本実施形態による撮像装置スタンドの外観構成（照明部）を示す斜視図である。
【図５】本実施形態による撮像装置スタンドにタブレット端末を設置した状態を示す斜視図である。
【図６】本実施形態による撮像装置スタンドにおいて本からの反射を低減するために照明装置の位置を変えている様子を示す斜視図である。
【発明を実施するための形態】
【００１４】
以下、本発明の実施の形態を、図面を参照して説明する。
【００１５】
図１は、本発明の実施形態による撮像装置スタンド４０を用いた頁めくり装置１の外観を示す斜視図である。なお、以下の説明においては本Ｂの頁Ｐを左から右へとめくる場合について説明する。図１において、頁めくり装置１は、本Ｂの頁Ｐをめくる頁めくり本体部１０と、開かれた本Ｂを保持する保持台３０とを備えている。
【００１６】
頁めくり本体部１０は、略直方体形状の収納ケース１１と、該収納ケース１１に収納可能なアーム部１２と、アーム部１２の先端に取り付けられ、本Ｂの頁Ｐに対して吸着する吸着部１３と、アーム部１２を右から左、左から右へと往復揺動させるモータなどの駆動部１４と、めくり元位置にある頁Ｐの上方に風を通過させ、めくり先位置にある頁Ｐに対して風を当てることで頁を吸着部（粘着ローラ部）１３から離脱させるための送風部１５とを備えている。
【００１７】
保持台３０は、ヒンジにより折り畳み自在な一対の保持板３１、３２を備えている。ここで、本Ｂの頁Ｐが左から右へとめくられる場合は、一対の保持板３１、３２のうち、左側に配置された一方の保持板３１が卓上に沿うように置かれ、右側に置かれる他方の保持板３２が一方の保持板３１に対して所定の角度で起き上がるように傾斜して卓上に置かれる。一方の保持板３１上には、本Ｂのめくり元位置となる頁Ｐが置かれ、他方の保持板３２上には、本Ｂのめくり先位置となる頁Ｐが置かれることになる。
【００１８】
これにより、保持台３０は、めくり元位置にある頁Ｐよりもめくり先にある頁Ｐの方が本Ｂの綴じ目に対して起きる方向に傾斜するように本Ｂを保持することになる。なお、一対の保持板３１、３２がヒンジにより折り畳み自在となっているので、一対の保持板３１、３２のなす角度も調整することができ、めくり先位置にある頁Ｐの水平面に対する傾斜角度θが調整自在となっている。傾斜角度θとしては３０〜４５度内の範囲で調整することが好ましい。
【００１９】
撮像装置スタンド４０は、撮影対象(撮像対象)の見開かれた本Ｂのめくり元位置にある頁Ｐに対して対角方向に、かつ撮像装置スタンド４０の設置面に対して平行に伸びるステージ４１１を有している。なお、以下では、ステージ４１１に撮像装置としてタブレット端末が設置されるものとして説明するが、タブレット端末に限定されるものではない。以下、本願発明の撮像装置スタンド４０について詳細に説明し、頁めくり装置１については説明を省略する。
【００２０】
図２は、本実施形態による撮像装置スタンド４０の外観構成（正面）を示す斜視図である。図２には、撮像装置スタンド４０の使用時（自立状態）における状態を示している。撮像装置スタンド４０は、Ｌ字型の第１部材４１と、同じくＬ字型の第２部材４２と、第２部材４２を基準に第１部材４１を上下移動させる調整部４３と、第２部材４２の直角方向に延設された部分と回転自在に結合された第３部材４４（撮像装置スタンド４０の設置面をなす台座部）とからなる。
【００２１】
第１部材４１は、直角方向に延設されるステージ４１１を備えている。ステージ４１１の先端近傍には長手方向に沿って楕円形状の開口部４１２が形成されている。また、ステージ４１１上には、滑り止めと衝撃吸収とを兼ねた素材（ＥＰＰ；発砲ポリプロピレンなど）からなるシート４１３が開口部４１２を避けるように設けられている。ステージ４１１上には、不図示のタブレット端末等のカメラ部（レンズ開口部）が下向きになるよう載置される（詳細は後述）。なお、タブレット端末を載置するために、第１部材４１は、少なくとも平面状（板状）でなければならない。第１部材４１の垂直方向に延設される部分は、調整部４３に挿入されている。
【００２２】
第２部材４２の垂直方向に延設される部分は、第１部材４１と同様に調整部４３に挿入されている。一方、第２部材４２の下部の直角方向に延設される部分は、第３部材４４の一端と回転軸ＲＡを中心に回転自在に結合されている。
【００２３】
調整部４３は、後述する操作ノブ５０を備えおり、該操作ノブ５０の操作によって第１部材４１、すなわちステージ４１１が上下方向に移動（昇降）するようになっている。
【００２４】
第３部材４４は、当該撮像装置スタンド４０を自立させるための脚部として機能する。
【００２５】
また、上述したように、第２部材４２の直角方向に延設された部分と第３部材４４の端部とは回転軸ＲＡを中心に回転自在に結合されている。すなわち、第３部材４４に対して、第２部材４２(調整部４３、第１部材４１を含む）を矢印方向Ａに回転させることが可能となっている。第２部材４２が回転可能であるということは、第１部材４１、ステージ４１１が回転軸ＲＡを中心に回転可能であり、ステージ４１１の位置（本Ｂに対する位置）を可変することができるということである。
【００２６】
第２部材４２に付けられたマークＭ１と第３部材４４に付けられたマークＭ２が並ぶ位置まで第２部材４２（調整部４３、第１部材４１を含む）を回転させた位置が基準の位置となる。すなわち、マークＭ１、Ｍ２同士が並ぶ位置にセットすることで、第１部材４１のステージ４１１が頁めくり装置１に設置された本Ｂの頁Ｐに正対すべく対角方向に延在することになる（詳細は後述）。この基準の位置において、通常、ステージ４１１上に載置されたタブレット端末のカメラ部で、頁めくり装置１に設置された本Ｂの頁Ｐの撮影（撮像）が行われる。
【００２７】
また、第１部材４１のステージ４１１の下面には、発光素子にＬＥＤを用いた照明装置４５が設けられている。
【００２８】
図３は、本実施形態による撮像装置スタンド４０の外観構成（背面）を示す斜視図である。図３には、撮像装置スタンド４０の使用時(自立状態）における状態を示している。上述したように、調整部４３は、第１部材４１を上下移動させるための操作ノブ５０を備えている。該操作ノブ５０を時計回りに回転させると、第１部材４１が上昇する。すなわち、ステージ４１１が上昇する。一方、操作ノブ５０を反時計回りに回転させると、第１部材４１が下降する。すなわち、ステージ４１１が下降する。
【００２９】
ステージ４１１の昇降に応じて、ステージ４１１上に載置されたタブレット端末等の撮像装置の画角が変化する。相対的に小さな本（例えば文庫本；１０５ｍｍ×１４８ｍｍなど）の頁を撮影する場合には、ステージを下降させてカメラ部と本との距離を縮めて画角を小さくし、相対的に大きな本（例えばＡ４版；２１０ｍｍ×２９７ｍｍ）の頁を撮影する場合には、ステージ４１１を上昇させてカメラ部と本との距離を広げて画角を広くする。
【００３０】
また、第３部材４４は、頁めくり装置１の保持台３０に設けられた開口部３３に挿入される。これにより、撮像装置スタンド４０の頁めくり装置１に対する相対的な位置が物理的に決まる。言い換えると、タブレット端末の本Ｂのめくり元の頁Ｐに対する相対的な位置が決まることになる。
【００３１】
図４は、本実施形態による撮像装置スタンド４０の外観構成（照明部）を示す斜視図である。第１部材４１のステージ４１１の下面には、上述した照明装置４５が設けられている。該照明装置４５は、ステージ４１１に設けられた開口部４１２を取り囲むように配置されるように、楕円形状の中心側に開口部４５１を有する形状のランプシェード４５２を備えている。ランプシェード４５２は、不図示のＬＥＤからの光を拡散し、照射光の照度を本Ｂの頁Ｐ上で略均一とする。また、発光素子であるＬＥＤを保護する役目もある。照明装置４５は、ステージ４１１に固定されておらず、回転軸ＲＢを中心として回転可能となっている。
【００３２】
図５は、本実施形態による撮像装置スタンド４０にタブレット端末６０を設置した状態を示す斜視図である。図示の例では、タブレット端末６０の裏面（表示パネル６１の反対側）に設けられているカメラ部（不図示）によって本Ｂの頁Ｐを撮影することを想定している。したがって、タブレット端末６０のカメラ部（レンズ開口部）が本Ｂの頁Ｐを画角内に収めるように、裏面が下側、表示パネル６１が上側となるように、タブレット端末６０をステージ４１１上に載置する。
【００３３】
このとき、カメラ部（レンズ開口部）がステージ４１１上に設けられた開口部４１２から本Ｂの頁Ｐに向けられるように、かつ撮影対象の本Ｂの略中心に位置するように位置決めする。位置決めは、所定のアプリケーションによる撮影モードを実行していれば、現在、カメラ部により撮像されているライブ画像が表示パネル６１に表示されるので、該表示を見ながら画角内に頁Ｐが収まるように、タブレット端末６０の位置を決めればよい。タブレット端末６０の位置が決まったら、シリコン製の伸縮性のあるバンド（不図示）をタブレット端末６０の対角上の角部に架け渡すことでステージ４１１に固定する。タブレット端末６０とステージ４１１との間には、ステージ４１１上に設けられたシート４１３が介在するので、タブレット端末６０を傷つけることがない。
【００３４】
このように、図５に示す状態では、タブレット端末６０（のカメラ部）と本Ｂ（の頁Ｐ）とはほぼ真正面に位置している。そして、照明装置４５も本Ｂ（の頁Ｐ）にほぼ真正面に位置することになる。頁Ｐが普通紙の場合には、反射が少ないので、図５に示す状態で撮影しても画像に写り込むことはない。これに対して、頁Ｐが光沢紙等の場合には、反射が多いので、図５に示す状態で撮影すると、照明装置４５からの照明が本Ｂ（の頁Ｐ）に反射して画像に写り込む可能性が高い。そこで、本実施形態では、上述したように、照明装置４５を矢印で示す水平方向に回転させることで、本Ｂ（の頁Ｐ）に反射による写り込みを低減する。これにより、より高品位の撮影が可能となる。
【００３５】
図６（ａ）、（ｂ）は、本実施形態による撮像装置スタンド４０において本Ｂからの反射を低減するために照明装置４５の位置を変えている様子を示す斜視図である。図６（ａ）、同図（ｂ）に示すように、頁Ｐが光沢紙等の場合には、左右どちらかに照明装置４５を回転させ、照明の本Ｂ（頁Ｐ）からの反射光がカメラ部に写り込まない位置に調整する。但し、画質低下を防ぐために、撮影時のタブレット端末６０は、本Ｂ（頁Ｐ）とほぼ真正面となる位置で固定することで、本Ｂの正面から撮影が可能となり、高品位の撮影を維持することができる。
【００３６】
上述した本実施形態によれば、撮像方向が見開かれた本を向くように撮像装置を載置するためのステージの下面に設置され、見開かれた本を照明する照明装置を、一端を回転中心にして回動する構造としたので、撮影時の光源の反射による写り込みを低減することができる。
【００３７】
また、本実施形態によれば、ステージ４１１の長手方向に沿って形成された開口部を取り囲むように、ステージ４１１の下面に発光素子を有する照明装置４５を設けたので、撮影に必要な照明を容易に提供することができるとともに、撮影時の光源の反射による写り込みを低減することができる。
【００３８】
また、本実施形態によれば、照明装置４５発光素子からの光を拡散させるランプシェードを備えるようにしたので、照射光の照度を本Ｂの頁Ｐ上で略均一とすることができるとともに、撮影時の光源の反射による写り込みを低減することができる。
【００３９】
また、本実施形態によれば、タブレット端末６０を、当該タブレット端末６０のカメラ部６２による撮像方向がステージ４１１に形成されている開口部４１２から見開かれた本Ｂを向くようにステージ４１１の上面に載置されるようにしたので、照明装置４５によって十分な照射光が照射されている本Ｂの頁Ｐを撮像することができるとともに、撮影時の光源の反射による写り込みを低減することができる。
【００４０】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００４１】
（付記１）
付記１に記載の発明は、撮像方向が見開かれた本を向くように撮像装置を載置するためのステージと、前記ステージの下面に設置され、前記見開かれた本を照明する照明装置と、を備え、前記照明装置は、一端を回転中心にして回動する構造を有する、ことを特徴とする撮像装置スタンドである。
【００４２】
（付記２）
付記２に記載の発明は、前記ステージは、長手方向に沿って形成された開口部を有し、前記照明装置は、前記開口部を取り囲むように、前記ステージの下面に発光素子を有する、ことを特徴とする付記１に記載の撮像装置スタンドである。
【００４３】
（付記３）
付記３に記載の発明は、前記照明装置は、前記発光素子からの光を拡散させるランプシェードを備える、ことを特徴とする付記２に記載の撮像装置スタンドである。
【００４４】
（付記４）
付記４に記載の発明は、前記撮像装置は、前記撮像装置の撮像方向が前記ステージに形成されている前記開口部から前記見開かれた本を向くように前記ステージの上面に載置される、ことを特徴とする付記２又は３に記載の撮像装置スタンドである。
【００４５】
（付記５）
付記５に記載の発明は、撮像方向が見開かれた本を向くように撮像装置が載置されるステージの下面に設けられ、一端を回転中心にして回動する構造を有し、前記見開かれた本の頁を照明する、ことを特徴とする照明装置である。
【００４６】
（付記６）
付記６に記載の発明は、前記ステージの長手方向に沿って形成された開口部を取り囲むように、前記ステージの下面に配設された発光素子を有する、ことを特徴とする付記５に記載の照明装置である。
【００４７】
（付記７）
付記７に記載の発明は、前記発光素子からの光を拡散させるランプシェードを備える、ことを特徴とする付記６に記載の照明装置である。
【００４８】
（付記８）
付記８に記載の発明は、開口部が設けられているとともに、前記開口部を介して撮像対象物の上方から前記撮像対象物を撮像可能なように撮像装置が載置されるステージと、前記ステージにおける前記撮像装置が載置される面とは反対側の面に前記開口部を囲むように設けられ、前記撮像対象物の上方から前記撮像対象物に光を照射するための光照射部と、を備え、前記光照射部は、一端を回転中心にして回動する構造を有する、ことを特徴とする撮像装置スタンドである。
【符号の説明】
【００４９】
１  頁めくり装置
１０  頁めくり本体部
１１  収納ケース
１２  アーム部
１３  吸着部
１４  駆動部
１５  送風部
３０  保持台
３１  保持板
３２  保持板
３３  開口部
Ｂ  本
θ  傾斜角度
４０  撮像装置スタンド
４１  第１部材
４１１  ステージ
４１２  開口部
４１３  シート
４２  第２部材
４３  調整部
４４  第３部材
４５  照明装置
４５１  開口部
４５２  ランプシェード
５０  操作ノブ
６０  タブレット端末
６１  表示パネル
ＲＡ、ＲＢ  回転軸
【図１】
2018056654.tif 000003
【図２】
2018056654.tif 000004
【図３】
2018056654.tif 000005
【図４】
2018056654.tif 000006
【図５】
2018056654.tif 000007
【図６】
2018056654.tif 000008